(57)【要約】【課題】液体の成分濃度検出精度を維持することができ、機器のコストダウンを図ることができる成分濃度検出器を提供する。【解決手段】液体に光を照射してその光吸収度合いから液体中の成分濃度を検出する成分濃度検出器であって、光を照射する照射部と、照射部から照射された光を受光する受光部と、前記照射部と前記受光部との間に配置され、液体が流通する液体セル部と、前記照射部から照射された光が前記液体セル部の液体を通過し、その通過した光を集光させる集光部と、を備える構成とする。【選択図】図２
2018080925.tif 000002
【特許請求の範囲】
【請求項１】
液体に光を照射してその光吸収度合いから液体中の成分濃度を検出する成分濃度検出器であって、
光を照射する照射部と、
照射部から照射された光を受光する受光部と、
前記照射部と前記受光部との間に配置され、液体が流通する液体セル部と、
前記照射部から照射された光が前記液体セル部の液体を通過し、その通過した光を集光させる集光部と、
を備えることを特徴とする成分濃度検出器。
【請求項２】
前記液体セル部に円筒管が使用されることにより、前記液体セル部と前記集光部とが一体化されていることを特徴とする請求項１に記載の成分濃度検出器。
【請求項３】
前記円筒管は、石英で形成されていることを特徴とする請求項２に記載の成分濃度検出器。
【請求項４】
前記照射部、前記受光部、前記液体セル部、及び、前記集光部が収容されるハウジング部を有しており、前記液体セル部は、セル枠体部に固定され、このセル枠体部は、前記ハウジング部に着脱自在に形成されており、前記セル枠体部がハウジング部に取り付けられた状態では、前記液体セル部は、前記照射部から照射された光が前記液体セル部の液体を通過する位置に位置決めされることを特徴とする請求項１〜３のいずれかに記載の成分濃度検出器。
【請求項５】
前記液体セル部には、配管に接続する継手部が設けられており、この継手部に前記液体セル部が挿入された状態では、前記継手部と前記液体セル部との間に介在されるシール部材が前記継手部から押圧を受けることにより、前記液体セル部が押圧され固定されることを特徴とする請求項１〜４のいずれかに記載の成分濃度検出器。
【請求項６】
前記照射部には、冷陰極管ＵＶランプが用いられることを特徴とする請求項１〜５に記載の成分濃度検出器。
【請求項７】
前記受光部は、前記ハウジング部の前記セル枠体部を挟んで反対側に、さらに配置されていることを特徴とする請求項４〜６のいずれかに記載の成分濃度検出器。
【発明の詳細な説明】
【技術分野】
【０００１】
本発明は、液体に光を照射してその吸光度合いから液体内の成分濃度を測定する際に用いられる成分濃度検出器に関するものである。
【背景技術】
【０００２】
腎不全の患者に対し、腎臓機能を人工的に代替する血液透析装置を用いて血液透析療法による治療が行われている。この血液透析装置は、血液循環経路に血液浄化装置であるダイアライザが設けられており、このダイアライザに透析液を供給する透析液回路が設けられている。そして、患者から採取された血液はダイアライザを経由して体内に戻される体外循環が行われ、体外循環が行われている間にダイアライザの半透膜を介してダイアライザに供給された透析液により血液中の老廃物、及び、余剰水分が除去されるようになっている。
【０００３】
また、血液透析装置には、成分濃度検出器が設けられており、透析液に含まれる老廃物である尿素、尿酸等の濃度が計測できるようになっている。すなわち、この老廃物の濃度変化を測定することにより、患者の透析中の状態を把握できるようになっている。
【０００４】
この成分濃度検出器は、ダイアライザからの排液に対する吸光度を検出することで濃度変化を計測できるように形成されている。すなわち、排液（単に液体とも言う）を流通させる液体セル部と、液体セル部に光を照射する照射部と、液体セル部を通過した照射部からの光を受光する受光部とを有しており、液体セル部を通過する液体の吸光後の光を受光部で検出することにより、液体の濃度を検出することができる。
【０００５】
すなわち、成分濃度検出器１００は、図７に示すように、貫通孔１０４を有する枠体１０５に貫通部を遮るように液体セル部１０１が設けられており、貫通孔１０４の一方端部には、照射部１０２が設けられ、他方端部には受光部１０３が設けられている。そして、照射部１０２から照射された光は、貫通孔１０４を通じて液体セル部１０１を通過し、受光部１０３で受光されるようになっている。液体セル部１０１は、２枚の耐蝕性の円盤部材１０６が隙間１０７（液体セル部１０１）を有するように形成されており、この隙間１０７に排液（液体）が流れるようになっている。この円盤部材１０６は、照射部１０２からの光の進行をなるべく阻害しないように照射方向に対して垂直な平面状に形成されている。そして、円盤部材１０６で形成される隙間１０７は、隙間１０７を流れる液体が光を吸収する結果、受光部１０３での受光強度が必要以上に小さくならない程度に狭小に形成されている（例えば、下記特許文献１参照）。
【先行技術文献】
【特許文献】
【０００６】
【特許文献１】特開平８−６８７４６号公報
【発明の概要】
【発明が解決しようとする課題】
【０００７】
しかし、上記成分濃度検出器１００では、精度よく成分濃度を検出できない場合がある。すなわち、液体が流通する隙間１０７（液体セル部１０１）が狭小に形成されているため、その流路において液体の滞りや、キャビテーション現象が生じやすく、液体の成分濃度検出精度に影響を及ぼす場合がある。
【０００８】
また、上記成分濃度検出器１００では、２枚の円盤部材１０６を微少隙間１０７を形成した状態に組み立てる必要があるため、部品点数が多くなり、構造も複雑化するため、成分濃度検出器１００自体のコストが高くなってしまうという問題があった。
【０００９】
本発明は、上記の問題点に鑑みてなされたものであり、液体の成分濃度検出精度を維持することができ、機器のコストダウンを図ることができる成分濃度検出器を提供することを目的としている。
【課題を解決するための手段】
【００１０】
上記課題を解決するために本発明の成分濃度検出器は、液体に光を照射してその光吸収度合いから液体中の成分濃度を検出する成分濃度検出器であって、光を照射する照射部と、照射部から照射された光を受光する受光部と、前記照射部と前記受光部との間に配置され、液体が流通する液体セル部と、前記照射部から照射された光が前記液体セル部の液体を通過し、その通過した光を集光させる集光部と、を備えることを特徴としている。
【００１１】
上記成分濃度検出器によれば、液体セル部を通過した光を集光させる集光部を備えているため、受光部に入力される光を集中させて受光部に必要な光の受光強度を維持することができる。すなわち、液体セル部は、液体の滞りや、キャビテーション現象を防止するために液体セル部の流路を大きくして液体の流量を増大させると、流路の大型化、及び、流量増大に伴う光吸収量が増大する。その結果、照射された光がそのまま受光部で受光されると、受光部で受光される光の受光強度が弱くなり、液体の成分濃度検出精度を高く維持できない場合があるが、液体セル部を通過した光を集光部に通過させることにより、受光部で受光する光の受光強度を増幅させることができる。また、照射部から照射された光は、所定の広がりをもって照射され、照射方向に対して垂直な平面状に形成された液体セル部では照射された光が広がりを持ったまま進行することより受光部を外れる分だけ光量ロスになる虞がある。しかし、液体セル部を通過した光を集光部に通過させて受光させることにより、集光部がない場合にロスした光量を補えることで結果として受光部における受光強度を増幅させることができる。また、液体セル部を通過した光を集光部で集光させることができるため、受光部を小さく形成できるとともに、受光部の配置に僅かに位置ずれが生じた場合でも受光させることができ、受光部の構成を容易にし、配置等の設計に余裕を持たせることができる。このように、流路を大型化し流量を増大させることができること、液体セル部の構造を容易な構造にすることができるため、成分濃度検出器全体のコストダウンを図ることができる。
【００１２】
また、前記液体セル部に円筒管が使用されることにより、前記液体セル部と前記集光部とが一体化されている構成にすることができる。
【００１３】
この構成によれば、光が円筒管の曲面によるレンズ効果が生じるため、液体セル部内の液体を通過した光を集光させて受光部に入力させることができる。したがって、液体セル部と受光部との間にレンズのような別部材を設ける必要がなく、さらに、液体セル部にガラス等の円筒管を使用することができるため、機器自体のコストを抑えることができる。
【００１４】
また、前記円筒管は、石英で形成されている構成にしてもよい。
【００１５】
この構成によれば、照射部から照射される光がＵＶ光である場合に、円筒管照射に伴うＵＶ光の減衰を抑えることができるため、液体の成分濃度検出精度の低下を抑えることができる。
【００１６】
また、前記照射部、前記受光部、前記液体セル部、及び、前記集光部が収容されるハウジング部を有しており、前記液体セル部は、セル枠体部に固定され、このセル枠体部は、前記ハウジング部に着脱自在に形成されており、前記セル枠体部がハウジング部に取り付けられた状態では、前記液体セル部は、前記照射部から照射された光が前記液体セル部の液体を通過する位置に位置決めされる構成にしてもよい。
【００１７】
この構成によれば、セル枠体部をハウジング部に装着するだけで液体セル部を位置決めすることができるため、液体セル部の交換作業が容易になりメンテナンス性を向上させることができる。
【００１８】
また、前記液体セル部には、配管に接続する継手部が設けられており、この継手部に前記液体セル部が挿入された状態では、前記継手部と前記液体セル部との間に介在されるシール部材が前記継手部から押圧を受けることにより、前記液体セル部が押圧され固定される構成にしてもよい。
【００１９】
この構成によれば、液体セル部が継手部に挿入されるだけで固定される。すなわち、液体セル部にガラス管、石英管等の汎用性のある円筒部材を使用した場合に、円筒部材に取付のための特別な加工を施すことなく固定させることができる。
【００２０】
また、前記照射部には、冷陰極管ＵＶランプを用いる構成にすることにより、ＬＥＤランプを使用する場合に比べてコストダウンを図ることができる。
【００２１】
また、前記受光部は、前記ハウジング部の前記セル枠体部を挟んで反対側に、さらに配置されている構成にしてもよい。
【００２２】
この構成によれば、セル枠体部を挟んで反対側、すなわち、照射部側に受光部がさらに別途配置されることにより、この受光部を照射部の光量の監視に使用することができる。
【発明の効果】
【００２３】
本発明の成分濃度検出器によれば、液体の成分濃度検出精度を維持することができ、機器のコストダウンを図ることができる。
【図面の簡単な説明】
【００２４】
【図１】本発明の成分濃度検出器が適用された血液透析装置を示す経路図である。
【図２】上記成分濃度検出器を示す図であり、（ａ）はその外観を示す図であり、（ｂ）はその内部を示す図である。
【図３】上記成分濃度検出器を示す図であり、（ａ）はセル枠体部を外した状態を示す図であり、（ｂ）はセル枠体部を示す図である。
【図４】図３におけるＡ−Ａ断面図である。
【図５】継手部を示す図である。
【図６】円筒管を通過する光の経路を示す図である。
【図７】従来の成分濃度検出器を示す図である。
【発明を実施するための形態】
【００２５】
本発明の成分濃度検出器に係る実施の形態を図面を用いて説明する。
【００２６】
図１は、本発明の一実施形態における成分濃度検出器を使用した血液透析装置を示す経路図である。
【００２７】
図１に示すように、血液透析装置１は、患者の血液を体外循環させる血液循環経路部２と、血液循環経路部２の途中に設けられ血液を浄化するダイアライザ３と、体外循環する血液の濃度を検出する成分濃度検出器４と、ダイアライザ３に透析液を供給しつつ循環させる透析液経路部５とを有している。
【００２８】
血液循環経路部２は、可撓性チューブで形成されており、患者から採取した血液を流通させる往路経路部２１と、浄化された血液を患者に戻す復路経路部２２とを有している。これら往路経路部２１と復路経路部２２は、患者とダイアライザ３とを連結するものであり、不図示のポンプを駆動させることにより、患者から採取された血液が往路経路部２１を通じてダイアライザ３を通過し、ダイアライザ３で浄化された血液が復路経路部２２を通じて患者に戻るようになっている。
【００２９】
ダイアライザ３は、供給された血液の浄化、及び、徐水を行うものであり、入口ポート３１と出口ポート３２を有している。すなわち、入口ポート３１に往路経路部２１が接続され、出口ポート３２に復路経路部２２が接続されることにより、患者の血液は、入口ポート３１を通じてダイアライザ３に供給され、ダイアライザ３で浄化された血液は、出口ポート３２を通じて患者に戻される。このダイアライザ３は、容器本体３３に複数の中空糸が収容されており、中空糸内を血液が通過するようになっている。中空糸には、小さな貫通孔が形成されており、血液が中空糸を通過すると、その貫通孔を通じて容器本体３３に充填される透析液に老廃物や余剰水分が透過され血液が浄化されるようになっている。
【００３０】
透析液経路部５は、可撓性チューブで形成されており、透析液を供給する供給ライン５１と、透析処理後の透析液を排出する排液ライン５２とで形成されている。すなわち、ダイアライザ３には、透析液が供給される供給ポート３４と、透析液を排液する排液ポート３５とを有しており、供給ライン５１が供給ポート３４と接続され、排液ライン５２と排液ポート３５とが接続されている。したがって、透析液は、透析液の供給源（不図示）から供給ライン５１を通じてダイアライザ３に供給され、ダイアライザ３の容器本体３３内で透析処理が行われた後、排液ライン５２を通じて使用後の透析液が排液（本発明の液体）として排出されるようになっている。
【００３１】
排液ライン５２には、成分濃度検出器４が設けられている。成分濃度検出器４は、排液ライン５２を流れる液体の成分濃度をリアルタイムに検出するためのものである。この成分濃度検出器４は、排液ライン５２に流れる液体に光を照射して、その光の光吸収度合いから液体内の成分濃度を検出するものである。本実施形態の成分濃度検出器４は、監視装置６と接続されており、監視装置６により、成分濃度検出器４で検出した検出結果がモニタリングされ、成分濃度検出器４の各種設定が調節されるようになっている。
【００３２】
成分濃度検出器４は、図２に示すように、入口部４１と出口部４２を有するハウジング部４３内にセルユニット部７と、ランプユニット部８と、排液モニタ部９とを有している。ここで、図２（ａ）は、成分濃度検出器４の外観を表した図であり、図２（ｂ）は、ハウジング部４３の蓋部を取り外した状態を示す図である。ハウジング部４３は、箱状のケース部材であり、その中央部分にセルユニット部７が収容されており、そのセルユニット部７を挟むように、ランプユニット部８、排液モニタ部９が収容されている。すなわち、セルユニット部７に流れる液体にランプユニット部８からＵＶ光が照射され、液体を通過したＵＶ光を排液モニタ部９で受光することにより、液体内の成分濃度が検出されるようになっている。
【００３３】
セルユニット部７は、排液ライン５２の液体を流通させるものであり、排液ライン５２に接続される入口部４１と出口部４２とを備えている。すなわち、入口部４１が排液ライン５２の上流側と接続され、出口部４２が排液ライン５２の下流側に接続されることにより、ダイアライザ３から排出された液体は入口部４１を通じてセルユニット部７を通過し、出口部４２から再び排液ライン５２に流れるようになっている。
【００３４】
セルユニット部７は、液体が流通する液体セル部７１と、この液体セル部７１を支持するセル枠体部７２とを有している。セル枠体部７２は、図３（ｂ）に示すように、直線状に伸びる本体部７２ａと、この本体部７２ａの両端部からそれぞれ直交する方向に伸びる支持部７２ｂとを有しており、いわゆる断面コの字の形状を有している。そして、両支持部７２ｂは、液体セル部７１を支持する部分であり、一方向に伸びる液体セル部７１の両端部を支持している。すなわち、支持部７２ｂは、液体セル部７１が本体部７２ａから所定距離離れた位置に支持できるようになっており、セルユニット部７がハウジング部４３に収容された状態では、液体セル部７１がランプユニット部８と排液モニタ部９との間に配置され、ランプユニット部８からのＵＶ光の照射領域に液体セル部７１が含まれる状態に支持されるようになっている。
【００３５】
セルユニット部７は、ハウジング部４３に対して着脱自在に形成されている。具体的には、セル枠体部７２がハウジング部４３に対して着脱できるようになっている。すなわち、セル枠体部７２は、ネジ７３で締結できるようになっており、ネジ７３を外すと、図３（ａ）に示すようにセル枠体部７２が取り外され、図２（ｂ）に示すように、セル枠体部７２をランプユニット部８と排液モニタ部９との間に配置しネジ７３で締結することにより、ハウジング部４３に固定されるようになっている。具体的には、ハウジング部４３には、切欠部４４が形成されており、セル枠体を配置した状態では、セル枠体の本体部７２ａの端部が切欠部４４に微少な隙間を有する状態で嵌まり合うようになっている。この状態から、切欠部４４側に押し当てつつネジを締結することにより、セル枠体部７２がハウジング部４３に対して位置決めされて固定されるようになっている。すなわち、セル枠体部７２がハウジング部４３に位置決めされた状態では、上述のように、液体セル部７１がランプユニット部８からのＵＶ光の照射領域に含まれる状態に保持され、液体セル部７１の軸方向と、ランプユニット部８（冷陰極管ＵＶランプ８１ａ）の軸方向とが平行になるように固定される。これにより、セル枠体部７２を取り外した場合でも、セル枠体部７２をハウジング部４３に取り付けるだけで、着脱前の液体セル部７１の配置状態に容易に戻すことができるようになっている。
【００３６】
ランプユニット部８は、液体セル部７１に光を照射するものである。ランプユニット部８は、本実施形態では、セルユニット部７に隣接する位置に設けられている。ランプユニット部８は、照射部８１が設けられており、本実施形態では、冷陰極管ＵＶランプ８１ａが設けられている。具体的には、冷陰極管ＵＶランプ８１ａは、図３（ａ）、図４に示すように、ランプ支持体８２に支持されて設けられており、冷陰極管ＵＶランプ８１ａの伸びる方向（軸方向）が、液体セル部７１の伸びる方向（軸方向）に沿うように固定されている。すなわち、冷陰極管ＵＶランプ８１ａは、ランプ支持体８２により、その両端部で固定され、光を照射する部分を湾曲部８３で覆うように支持されている。そして、ランプ支持部７２ｂの液体セル部７１と対向する部分は、開口部８４が形成されており、その開口部８４から冷陰極管ＵＶランプ８１ａ（照射部８１）の光が照射されるようになっている。すなわち、冷陰極管ＵＶランプ８１ａは、円筒管の表面全周に亘って光が照射されるが、開口部８４と対向していない部分から照射された光は湾曲部８３で反射されつつ開口部８４から照射されることにより、冷陰極管ＵＶランプ８１ａから照射された光が効率よく液体セル部７１に照射されるようになっている。
【００３７】
このランプユニット部８から液体セル部７１を挟んで対向する位置には、排液モニタ部９が設けられている。この排液モニタ部９は、冷陰極管ＵＶランプ８１ａから照射され液体セル部７１を通過した光を受光するものである。排液モニタ部９は、受光部９１が設けられており、受光部９１にはフォトダイオードが設けられている。この受光部９１は、冷陰極管ＵＶランプ８１ａの照射方向の延長上に配置されており、本実施形態では、冷陰極管ＵＶランプ８１ａの中心、液体セル部７１の中心、フォトダイオード（受光部９１）の中心が一直線上に並ぶ位置に配置されている。そして、受光部９１の受光面は、冷陰極管ＵＶランプ８１ａの長手方向における照射範囲に沿って対向するように形成されている。これにより、冷陰極管ＵＶランプ８１ａから照射され、液体セル部７１を通過した光が無駄なく受光部９１で受光できるようになっている。
【００３８】
また、上述したランプユニット部８にも、別途、受光部（第２受光部８５と称す）が設けられている。この第２受光部８５は、ランプユニット部８の冷陰極管ＵＶランプ８１ａの光出力状態を監視するものである。具体的には、ランプ支持部７２ｂの開口部８４と反対側には、第２の開口部８６が形成されており、この第２の開口部８６と対向するように第２受光部８５が設けられている。これにより、照射部８１である冷陰極管ＵＶランプ８１ａからの光が直接、第２受光部８５で受光される。なお、本実施形態では、第２受光部は、ハウジング部４３側に取り付けられており、第２受光部に接続される電気的配線がセル枠体部７２を取り外した場合の操作性を阻害しないようになっている。この第２受光部８５で受光した光量値は、冷陰極管ＵＶランプ８１ａの基準値として使用される。すなわち、冷陰極管ＵＶランプ８１ａから照射された光が液体セル部７１を通過する液体を通過し受光部９１で受光されることにより、液体に吸収された光量から成分濃度が検出されるが、冷陰極管ＵＶランプ８１ａの光が液体を通過する前の光の状態を第２受光部８５で受光することにより、第２受光部８５で受光した光量を基準に液体に吸収された光量を精度よく演算することができる。なお、この第２受光部８５から得られた光量値に対して閾値を設けることにより冷陰極管ＵＶランプ８１ａの寿命を監視することもできる。
【００３９】
また、液体が流通する液体セル部７１には、本実施形態では、円筒管が使用されている。液体セル部７１は、図３（ｂ）に示すように、一方向に伸びる形状を有しており、両端部がセル枠体部７２の支持部７２ｂで支持されている。すなわち、円筒管は、円筒管の延びる方向が冷陰極管ＵＶランプ８１ａの延びる方向と一致する状態で支持されており、光の照射方向（照射部８１から受光部９１に照射される方向）と、円筒管の軸方向とが直交する状態で支持されている。すなわち、円筒管は、照射部８１の光源に対して、円筒管の外周面が対向する状態で支持されている。
【００４０】
この円筒管は、石英で形成されている。すなわち、液体セル部７１に樹脂チューブ等を使用すると冷陰極管ＵＶランプ８１ａのＵＶ光が樹脂チューブに吸収されるため、受光部９１で受光される受光量に樹脂チューブに吸収された分だけ誤差が生じてしまうが、石英を使用することにより、照射部８１に使用された冷陰極管ＵＶランプ８１ａのＵＶ光が液体セル部７１で吸収されるのが極力抑えられ、円筒管内を流れる液体に吸収される光量を精度よく検出することができる。
【００４１】
また、液体セル部７１を流れる液体と、受光部９１との間には、液体を通過した光を集光させる集光部１０が設けられている。本実施形態では、液体セル部７１と集光部１０とが一体化して設けられている。すなわち、本実施形態では、液体セル部７１に円筒管が設けられているため、円筒管の外周面がレンズの役割（集光部１０）を果たし、液体を通過した光を集光させて受光部９１に照射させることができる。具体的には、図６に示すように、照射部８１から照射された光は、円筒管を形成する曲面状の外周面７１ａで屈折させられ、液体セル部７１の円筒管内の液体を通過した後、液体を通過した直後に比べて、照射光の中央寄りに集光して進行する。これにより、受光部９１では、集光効果のない場合に比べて受光強度が増幅されるため、液体で吸収された波長帯域が明確に表れ、液体の成分濃度検出精度を向上させることができる。なお、図６における破線は、集光部１０を使用しない場合（円筒管の代わりに平行平板（照射方向に対して垂直な平面状に形成された液体セル部）を使用した場合）の光の進路を示している。この場合は、照射部８１から照射された光の広がりのまま光が進行するため、受光部９１で受光できず光量ロスし、液体の成分濃度検出精度が低下する虞がある。
【００４２】
また、液体セル部７１は、入口部４１と出口部４２とに接続されている。本実施形態では、入口部４１と出口部４２とは、同じ構造を有している。具体的には、図５に示すように、入口部４１は、ハウジング部４３から突出した円筒管（液体セル部７１）を覆う継手部４５と、継手部４５と円筒管との隙間をシールするシール部材４６で形成されている。この継手部４５は、上流側の排液ライン５２と接続される配管接続部４５ａと、液体セル部７１と接続されるジョイント開口部４５ｂとを有しており、フランジ部４５ｃがハウジング部４３にネジ４５ｄで締結されることにより固定されるようになっている。ジョイント開口部４５ｂは、配管接続部４５ａ側に向かって狭くなるテーパ形状に形成されている。これにより、シール部材４６が押圧されて固定されるようになっている。すなわち、ハウジング部４３から突出する液体セル部７１（円筒管）には、ハウジング部４３側から第１カラー４７、シール部材４６（Ｏリング）、第２カラー４８がこの順に互いに接するように配置されており、この状態でジョイント開口部４５ｂを嵌め込んで固定する。すなわち、継手部４５をハウジング部４３にネジ止めすると、ジョイント開口部４５ｂのテーパ部分がシール部材４６と接した後、さらに継手部４５がネジ４５ｄで締結されることにより、テーパ部分でシール部材４６が押圧される。シール部材４６の両隣には、第１カラー４７と第２カラー４８が隣接しているため、テーパ部分で押圧されたシール部材４６は、円筒管とテーパ部分とに膨張して密着することにより円筒管と継手部４５とがシールされる。すなわち、排液ライン５２から配管接続部４５ａに進入した液体は、ジョイント開口部４５ｂから漏れることなく円筒管に流通し、再び出口部４２から排液ライン５２に流れ出る。このような継手部４５の構成により、円筒管に何ら加工することなく液体セル部７１として使用することができ、複雑な構成を有していた従来の液体セル部７１に比べて安価な構成にすることができる。
【００４３】
以上、上記実施形態における成分濃度検出器４によれば、液体セル部７１を通過した光を集光させる集光部１０を備えているため、受光部９１に入力される光を集中させて受光部９１に必要な光の受光強度を維持することができる。すなわち、照射される液体セル部７１の表面が従来のように平面で形成される部材では、照射された光がそのまま受光部９１で受光されるため、液体セル部７１で光吸収量が増加すると受光部９１で受光される光の受光強度が弱くなり、液体の成分濃度検出精度を維持できない場合があるが、液体セル部７１を通過した光を集光部１０に通過させることにより、受光部９１で受光する光の受光強度を増幅させることができる。したがって、液体セル部７１の流量を増大させても液体で吸収された波長帯域が明確になり、液体の成分濃度検出精度を維持させることができるとともに、液体セル部７１に円筒管等を使用することにより液体セル部７１の構成を簡略化して機器自体のコストダウンを図ることができる。
【００４４】
また、上記実施形態では、集光部１０が液体セル部７１と一体化された例について説明したが、液体セル部７１と排液モニタ部９との間に例えば凸レンズ等、光を一定領域に集光できる部材を集光部１０として配置するものであってもよい。この場合でも液体セル部７１を通過した光を一定領域に集光させて受光部９１に受光させることにより、受光部９１における受光強度が大きくなるため、液体の成分濃度検出精度を向上させることができる。
【００４５】
また、上記実施形態では、液体セル部７１に石英製の円筒管を使用したが、円筒管が他の部材で形成されていてもよい。すなわち、上記実施形態では、ＵＶ光が照射されるため、ＵＶ光の吸収が極めて少ない石英製を例に挙げたが、照射部８１から照射される光の吸収が抑えられる部材で形成されれば、液体セル部７１を流れる液体以外の部材による光の吸収が抑えられ、濃度検出精度を高めることができる点で好ましい。
【００４６】
また、上記実施形態では、液体セル部７１に円筒管を使用したが、集光部１０を別途設ける場合には、照射部８１からの光に直交する平行平板で形成される液体セル部７１（照射方向に対して垂直な平面状に形成された液体セル部）であってもよい。
【００４７】
また、上記実施形態では、照射部８１に冷陰極管ＵＶランプ８１ａを使用しコストダウンを図れる例について説明したが、ＬＥＤランプを使用する構成であってもよい。
【００４８】
また、上記実施形態では、液体セル部７１がセル枠体部７２に設けられ、セル枠体部７２が着脱自在である例について説明したが、液体セル部７１がハウジング部４３と一体化して直接固定されているものであってもよい。
【符号の説明】
【００４９】
１  血液透析装置
４  成分濃度検出器
７  セルユニット部
８  ランプユニット部
９  排液モニタ部
１０  集光部
４３  ハウジング部
７１  液体セル部
７２  セル枠体部
８１  照射部
８１ａ  冷陰極管ＵＶランプ
８５  第２受光部
９１  受光部
【図１】
2018080925.tif 000003
【図２】
2018080925.tif 000004
【図３】
2018080925.tif 000005
【図４】
2018080925.tif 000006
【図５】
2018080925.tif 000007
【図６】
2018080925.tif 000008
【図７】
2018080925.tif 000009